(57)【要約】【課題】複数の電子機器間でデータ通信を行う媒体として用い、それら複数の電子機器と双方向でデータを直接、伝送する複合機能を有するケーブルを提供する。【解決手段】複合機能を有するケーブル１０は、複数の電子機器２，４間でデータを伝送する媒体として用い、電子機器２，４それぞれと接続されて双方向でデータの伝送を直接行い、基板１２、複数の伝送ユニット１４，１６及び拡張ユニット１８を備える。伝送ユニット１４，１６は、２つの電気接続端子を有し、一方の電気接続端子を介して基板１２と電気的に接続され、他方の電気接続端子を介して電子機器の１つと接続され、電気接続端子のうちの１つが基板１２の外部まで延伸される。拡張ユニット１８は、基板１２に配置されるとともに基板１２を介して伝送ユニット１６と接続され、複数の伝送ユニット１６のうちの１つとデータの伝送を双方向で行う。【選択図】図１
2014021560.tif 000002
【特許請求の範囲】
【請求項１】
複数の電子機器間でデータを伝送する媒体として用い、前記電子機器それぞれと接続されて双方向でデータの伝送を直接行い、基板、複数の伝送ユニット及び拡張ユニットを備えた複合機能を有するケーブルであって、
前記伝送ユニットは、２つの電気接続端子を有し、一方の前記電気接続端子を介して前記基板と電気的に接続され、他方の前記電気接続端子を介して前記電子機器の１つと接続され、前記電気接続端子のうちの１つが前記基板の外部まで延伸され、
前記拡張ユニットは、前記基板に配置されるとともに前記基板を介して前記伝送ユニットと接続され、前記複数の伝送ユニットのうちの１つとデータの伝送を双方向で行うことを特徴とする複合機能を有するケーブル。
【請求項２】
スイッチユニットをさらに備え、
前記スイッチユニットは、前記基板に配置されるとともに前記伝送ユニット及び前記拡張ユニットに接続され、複数の伝送ポートを有し、前記伝送ポートとの間に連結通路が形成され、前記連結通路により前記伝送ポートとの間でデータの伝送を双方向で行うことを特徴とする請求項１に記載の複合機能を有するケーブル。
【請求項３】
制御ユニットをさらに備え、
前記制御ユニットは、前記スイッチユニットに接続されて制御信号を生成し、前記制御信号に基づいて前記スイッチユニットの前記伝送ポートとの間の前記連結通路を決定することを特徴とする請求項２に記載の複合機能を有するケーブル。
【請求項４】
前記制御ユニットは、前記伝送ユニット及び前記拡張ユニットとの接続状態に基づき、前記制御信号を自動的に生成し、前記制御信号により前記スイッチユニットを制御し、前記伝送ポートとの間の前記連結通路を切替えることを特徴とする請求項３に記載の複合機能を有するケーブル。
【請求項５】
ルーターテーブルをさらに備え、
前記ルーターテーブルは、前記制御ユニットに記憶され、
前記伝送ユニットと前記拡張ユニットとの接続状態が同時に発生すると、前記制御ユニットは、前記ルーターテーブルに基づいて前記伝送ポートとの間の前記連結通路を切替えることを特徴とする請求項４に記載の複合機能を有するケーブル。
【請求項６】
トリガユニットをさらに備え、
前記トリガユニットは、前記制御ユニットと接続され、トリガ信号を生成させ、前記トリガ信号により前記制御ユニットを駆動し、前記スイッチユニットの前記複数の伝送ポートとの間の前記連結通路の切替えを行うことを特徴とする請求項３に記載の複合機能を有するケーブル。
【請求項７】
前記トリガユニットは、押ボタン、切替ノブ及びタッチスイッチのうちの少なくとも何れか１つであることを特徴とする請求項６に記載の複合機能を有するケーブル。
【請求項８】
指示ユニットをさらに備え、
前記指示ユニットは、前記制御ユニットと接続され、前記連結通路により前記拡張ユニット、前記スイッチユニット及び前記伝送ユニットとの間で行う動作を指示することを特徴とする請求項６に記載の複合機能を有するケーブル。
【請求項９】
前記指示ユニットは、前記基板及び前記伝送ユニットのうちの少なくとも何れか１つの中に配置されることを特徴とする請求項８に記載の複合機能を有するケーブル。
【請求項１０】
前記拡張ユニットは、外付け接続ポート、内蔵式メモリ及びメモリリーダのうちの少なくとも何れか１つであることを特徴とする請求項１に記載の複合機能を有するケーブル。
【請求項１１】
前記伝送ユニットは、ファイアワイヤ、ユニバーサルシリアルバス、マイクロＵＳＢ、ミニＵＳＢ、アップルコンピュータ社の３０ピンコネクタの通信プロトコルに準拠することを特徴とする請求項１に記載の複合機能を有するケーブル。
【請求項１２】
結合ユニットをさらに備え、
前記結合ユニットは、前記電子機器に接続する前記電気接続端子の前記伝送ユニットにそれぞれ設けられ、前記結合ユニットを結合させて環状体を形成することを特徴とする請求項１に記載の複合機能を有するケーブル。
【請求項１３】
前記結合ユニットは、磁石、係合リング及び嵌挿溝のうちの少なくとも何れか１つであることを特徴とする請求項１２に記載の複合機能を有するケーブル。
【発明の詳細な説明】
【技術分野】
【０００１】
本発明は、複合機能を有するケーブルに関し、特に、複数の電子機器間でデータを伝送する媒体として用い、それら複数の電子機器と双方向でデータを直接、伝送する複合機能を有するケーブルに関する。
【背景技術】
【０００２】
一般にユーザは多種類の電子機器を有する。ここで電子機器とは、スマート型携帯電話、タブレット型パソコンなどである。ユーザは、複数の電子機器により同一のファイル（例えば、写真、文章、音楽、ビデオなどのデータファイル）を同時に使用することがある。
【０００３】
ユーザは、複数の電子機器中に配置された無線及び有線の通信モジュールを利用し、ファイルの伝送を行う。有線通信モジュールを例に説明すると、有線通信モジュールが雌コンタクトである場合、２つの電子機器間でファイルの伝送を行うためには、ユーザは雄コンタクトのケーブルを用いる必要がある。
【０００４】
しかし、従来のケーブルは、電子機器間でデータの伝送（又は電力を送ること）を行うためだけに用いられる。データの伝送では、ケーブルは電子機器間でデータを伝送するためだけに用いる。
【０００５】
ユーザにとって、ケーブルが同時に多種類の機能（例えば、データを記憶するために用いるフラッシュドライブ又はメモリカードを読取るカードリーダ）を備えることができる場合、ケーブルの利便性を向上させることができる上、フラッシュドライブ又はメモリカードを携帯することによる不便性を無くすことができる。
【発明の概要】
【発明が解決しようとする課題】
【０００６】
本発明の第１の目的は、複数の電子機器間でデータを伝送する媒体として用い、それら複数の電子機器と双方向でデータを直接、伝送する複合機能を有するケーブルを提供することにある。
【０００７】
本発明の第２の目的は、内蔵した拡張ユニットにより、拡張ユニット中に記憶したデータを複数の電子機器へ伝送する複合機能を有するケーブルを提供することにある。
【０００８】
本発明の第３の目的は、メモリカードを読取る拡張ユニット（例えば、カードリーダ）により、メモリカード中のデータを読取り、複数の電子機器へデータを伝送する複合機能を有するケーブルを提供することにある。
【０００９】
本発明の第４の目的は、電子機器中にあるデータを読み取り、例えば、内蔵式メモリ（ＮＡＮＤ型フラッシュメモリ、ソリッドステートメモリなど）を利用して拡張ユニットへバックアップをとり、直接複数の電子機器の何れか１つからデータを取り出すＯｎ−Ｔｈｅ−Ｇｏ機能を得る複合機能を有するケーブルを提供することにある。
【００１０】
本発明の第５の目的は、結合ユニットを用いて環状構造に形成し、ユーザが容易に携帯することができる複合機能を有するケーブルを提供することにある。
【課題を解決するための手段】
【００１１】
上記課題を解決するために、本発明の第１の形態によれば、複数の電子機器間でデータを伝送する媒体として用い、前記電子機器それぞれと接続されて双方向でデータの伝送を直接行い、基板、複数の伝送ユニット及び拡張ユニットを備えた複合機能を有するケーブルであって、前記伝送ユニットは、２つの電気接続端子を有し、一方の前記電気接続端子を介して前記基板と電気的に接続され、他方の前記電気接続端子を介して前記電子機器の１つと接続され、前記電気接続端子のうちの１つが前記基板の外部まで延伸され、前記拡張ユニットは、前記基板に配置されるとともに前記基板を介して前記伝送ユニットと接続され、前記複数の伝送ユニットのうちの１つとデータの伝送を双方向で行うことを特徴とする複合機能を有するケーブルが提供される。
【００１２】
また、スイッチユニットをさらに備え、前記スイッチユニットは、前記基板に配置されるとともに前記伝送ユニット及び前記拡張ユニットに接続され、複数の伝送ポートを有し、前記伝送ポートとの間に連結通路が形成され、前記連結通路により前記伝送ポートとの間でデータの伝送を双方向で行うことが好ましい。
【００１３】
また、制御ユニットをさらに備え、前記制御ユニットは、前記スイッチユニットに接続されて制御信号を生成し、前記制御信号に基づいて前記スイッチユニットの前記伝送ポートとの間の前記連結通路を決定することが好ましい。
【００１４】
また、前記制御ユニットは、前記伝送ユニット及び前記拡張ユニットとの接続状態に基づき、前記制御信号を自動的に生成し、前記制御信号により前記スイッチユニットを制御し、前記伝送ポートとの間の前記連結通路を切替えることが好ましい。
【００１５】
また、ルーターテーブルをさらに備え、前記ルーターテーブルは、前記制御ユニットに記憶され、前記伝送ユニットと前記拡張ユニットとの接続状態が同時に発生すると、前記制御ユニットは、前記ルーターテーブルに基づいて前記伝送ポートとの間の前記連結通路を切替えることが好ましい。
【００１６】
また、トリガユニットをさらに備え、前記トリガユニットは、前記制御ユニットと接続され、トリガ信号を生成させ、前記トリガ信号により前記制御ユニットを駆動し、前記スイッチユニットの前記複数の伝送ポートとの間の前記連結通路の切替えを行うことが好ましい。
【００１７】
また、前記トリガユニットは、押ボタン、切替ノブ及びタッチスイッチのうちの少なくとも何れか１つであることが好ましい。
【００１８】
また、指示ユニットをさらに備え、前記指示ユニットは、前記制御ユニットと接続され、前記連結通路により前記拡張ユニット、前記スイッチユニット及び前記伝送ユニットとの間で行う動作を指示することが好ましい。
【００１９】
また、前記指示ユニットは、前記基板及び前記伝送ユニットのうちの少なくとも何れか１つの中に配置されることが好ましい。
また、前記拡張ユニットは、外付け接続ポート、内蔵式メモリ及びメモリリーダのうちの少なくとも何れか１つであることが好ましい。
また、前記伝送ユニットは、ファイアワイヤ、ユニバーサルシリアルバス、マイクロＵＳＢ、ミニＵＳＢ、アップルコンピュータ社の３０ピンコネクタの通信プロトコルに準拠することが好ましい。
【００２０】
また、結合ユニットをさらに備え、前記結合ユニットは、前記電子機器に接続する前記電気接続端子の前記伝送ユニットにそれぞれ設けられ、前記結合ユニットを結合させて環状体を形成することが好ましい。
【００２１】
また、前記結合ユニットは、磁石、係合リング及び嵌挿溝のうちの少なくとも何れか１つであることが好ましい。
【発明の効果】
【００２２】
本発明の複合機能を有するケーブルは、従来技術と異なり、複数の電子機器間でデータを双方向で伝送することができる上、複数の電子機器のうちの１つと単独で接続して双方向でデータの伝送を行うこともできる。
【００２３】
さらに、本発明の複合機能を有するケーブルは、例えば、外付け接続ポート、内蔵式メモリ、メモリカードリーダなどの拡張ユニットを組み合わせることにより、ケーブル上でデータを記憶したり取り出したりすることができる。
【００２４】
また、本発明の複合機能を有するケーブルは、伝送ポート間でポーリング（ｐｏｌｌｉｎｇ）方式によりデータを伝送することができる。
【００２５】
またさらに、本発明の複合機能を有するケーブルは、スイッチユニットにより複数の伝送ポート間の連結通路を切替え、ルーターテーブルに基づいて複数の伝送ポート間で連結通路を自動的に切替え、伝送ポート間で行うデータの伝送を決定することができる。
【図面の簡単な説明】
【００２６】
【図１】本発明の第１実施形態に係る複合機能を有するケーブルを示すブロック図である。
【図２】本発明の第２実施形態に係る複合機能を有するケーブルを示すブロック図である。
【図３】図２のスイッチユニットが切替え動作を行うときの状態を示すブロック図である。
【図４】図２のスイッチユニットが切替え動作を行うときの状態を示すブロック図である。
【図５】本発明の第３実施形態に係る複合機能を有するケーブルを示すブロック図である。
【図６】本発明の第４実施形態に係る複合機能を有するケーブルを示す斜視図である。
【発明を実施するための形態】
【００２７】
以下、本発明の実施形態について図に基づいて説明する。なお、これによって本発明が限定されるものではない。
【００２８】
（第１実施形態）
図１を参照する。図１は、本発明の第１実施形態に係る複合機能を有するケーブルを示すブロック図である。図１に示すように、複合機能を有するケーブル１０は、複数の電子機器２，４間でデータ（ｄａｔａ）を伝送するための媒体として用い、これら複数の電子機器２，４間でデータＤＡの伝送を双方向で直接行う。これら複数の電子機器２，４は、スマート型携帯電話、タブレット型パソコン、デスクトップパソコンなどでもよい。第１実施形態の電子機器２，４では、スマート型携帯電話を例に説明する。これら複数の電子機器２，４は、ファイアワイヤ（ＦｉｒｅＷｉｒｅ；ＩＥＥＥ１３９４）、ユニバーサルシリアルバス（Ｕｎｉｖｅｒｓａｌ  Ｓｅｒｉａｌ  Ｂｕｓ）、マイクロＵＳＢ（ｍｉｃｒｏ  ＵＳＢ）、ミニＵＳＢ（ｍｉｎｉＵＳＢ）、アップルコンピュータ社の３０ピンコネクタ（Ａｐｐｌｅ  ３０  ｐｉｎｓ  ｃｏｎｎｅｃｔｏｒ）の通信プロトコルに準拠する接続ポート２２，４２を有する。
【００２９】
複合機能を有するケーブル１０は、基板１２、複数の伝送ユニット１４，１６及び拡張ユニット１８を含む。
【００３０】
基板１２は、複数の伝送ユニット１４，１６と、拡張ユニット１８とを設けるために用いるプリント回路基板（ｐｒｉｎｔ  ｃｉｒｃｕｉｔ  ｂｏａｒｄ）でもよい。また、基板１２は、筐体（図示せず）により形成された収納空間により、基板１２、複数の伝送ユニット１４，１６及び拡張ユニット１８を封止してもよい。
【００３１】
これら複数の伝送ユニット１４，１６には、２つの電気接続端子（図示せず）がそれぞれ接続される。これら複数の伝送ユニット１４，１６は、一方の電気接続端子を介して基板１２とそれぞれ接続され、他方の電気接続端子を介して電子機器２，４と接続される。伝送ユニット１４，１６は、ファイアワイヤ、ユニバーサルシリアルバス、マイクロＵＳＢ、ミニＵＳＢ、アップルコンピュータ社の３０ピンコネクタの通信プロトコルに準拠し、電子機器２，４の接続ポート２２，４２に応じて配置される。
【００３２】
拡張ユニット１８は、基板１２に配置され、基板１２を介して伝送ユニット１４，１６と接続される。拡張ユニット１８は、外付け接続ポート、内蔵式メモリ及びメモリカードリーダのうちの少なくとも何れか１つでもよい。
【００３３】
例えば、拡張ユニット１８が外付け接続ポートである場合、外付け接続ポートを介し、例えば、カードリーダ、フラッシュドライブなどの装置に接続してもよいし、拡張ユニット１８が内蔵式メモリである場合、データＤＡを内蔵式メモリへ記憶させたりしてもよい。この内蔵式メモリは、ＮＡＮＤ型フラッシュ（ＮＡＮＤ  ｆｌａｓｈ）メモリ及びソリッドステートメモリ（ｓｏｌｉｄ−ｓｔａｔｅ  ｄｒｉｖｅ；ＳＳＤ）のうちの少なくとも何れか１つでもよいし、或いは、拡張ユニット１８がメモリカードリーダである場合、複合機能を有するケーブル１０は、直接メモリカードリーダを介して外部のメモリ中に記憶したデータを取り出したりしてもよい。
【００３４】
そのためデータＤＡは、拡張ユニット１８を介してこれら複数の伝送ユニット１４，１６のうちの１つとデータＤＡの伝送を双方向で行う。
【００３５】
（第２実施形態）      
図２を参照する。図２は、本発明の第２実施形態に係る複合機能を有するケーブルを示すブロック図である。図２に示すように、複合機能を有するケーブル１０’は、第１実施形態と同様に基板１２、伝送ユニット１４，１６及び拡張ユニット１８を含む他、スイッチユニット２０を含んでもよい。
【００３６】
スイッチユニット２０は、基板１２に配置され、伝送ユニット１４，１６及び拡張ユニット１８に接続される。スイッチユニット２０は、複数の伝送ポート２０２を有する。
【００３７】
図３を参照する。図３は、図２中のスイッチユニット２０が切替え動作を行うときの状態を示すブロック図である。第２実施形態のスイッチユニット２０では、３つの伝送ポート２０２ａ，２０２ｂ，２０２ｃを例に説明する。スイッチユニット２０は、これら複数の伝送ポート２０２ａ，２０２ｂ，２０２ｃ間に形成された連結通路ＣＰ（Ｃｏｎｎｅｃｔｉｎｇ  Ｐａｔｈ）を介し、伝送ポート２０２ａ，２０２ｂ，２０２ｃ間でデータＤＡの伝送を双方向で行う。連結通路ＣＰは、第１の連結通路ＣＰ１及び第２の連結通路ＣＰ２により構成される。
【００３８】
さらに詳細には、伝送ポート２０２ａは、伝送ユニット１４に接続され、伝送ポート２０２ｂは、伝送ユニット１６に接続され、伝送ポート２０２ｃは、拡張ユニット１８に接続される。例えば、伝送ユニット１４，１６へ接続する際、スイッチユニット２０により、第１の連結通路ＣＰ１を伝送ポート２０２ａに接続し、第２の連結通路ＣＰ２を伝送ポート２０２ｂに接続し、最終的に連結通路ＣＰを介して伝送ユニット１４，１６を電気的に接続してデータＤＡの伝送を双方向で行う。
【００３９】
さらに、図４を参照する。図４は、図２のスイッチユニットが切替え動作を行うときの状態を示すもう一つのブロック図である。図４に示すように、伝送ユニット１４と拡張ユニット１８とを接続する際、スイッチユニット２０により、第１の連結通路ＣＰ１を伝送ポート２０２ａへ接続し、第３の連結通路ＣＰ３を伝送ポート２０２ｃに接続し、最終的に連結通路ＣＰを介して伝送ユニット１４と拡張ユニット１８とを電気的に接続してデータＤＡの伝送を双方向で行う。
【００４０】
（第３実施形態）
図５を参照する。図５は、本発明の第３実施形態に係る複合機能を有するケーブルを示すブロック図である。図５に示すように、複合機能を有するケーブル１０’’は、第２実施形態と同様に基板１２、伝送ユニット１４，１６、拡張ユニット１８及びスイッチユニット２０を含む他、制御ユニット２４、トリガユニット２６及び指示ユニット２８を含んでもよい。
【００４１】
制御ユニット２４は、スイッチユニット２０に接続され、制御ユニット２４から生成された制御信号ＣＳ（Ｃｏｎｔｒｏｌ  Ｓｉｇｎａｌ）を用いてスイッチユニット２０の複数の伝送ポート２０２間の連結通路（図示せず）を決定する。また、第３実施形態の制御ユニット２４は、ルーターテーブル（図示せず）を予め記憶させておき、伝送ユニット１４，１６と拡張ユニット１８とが同時に接続されると、制御ユニット２４は、ルーターテーブルに基づいて伝送ポート２０２との間の連結通路ＣＰを自動的に切り替える。このルーターテーブルには、伝送ユニット１４，１６と拡張ユニット１８とが同時に接続されるときに、制御ユニット２４がどのような接続経路の優先順序で制御信号ＣＳを制御するのかが記録されている。
【００４２】
トリガユニット２６は、制御ユニット２４に接続されるとともに、トリガ信号ＴＳ（Ｔｒｉｇｇｅｒ  Ｓｉｇｎａｌ）を生成させ、このトリガ信号を用いて制御ユニット２４を駆動し、スイッチユニット２０の複数の伝送ポート２０２間の連結通路ＣＰの切替えを行う。例えば、トリガユニット２６は、押ボタン、切替ノブ及びタッチスイッチのうちの少なくとも何れか１つでもよい。ユーザは、トリガユニット２６によりトリガ信号ＴＳを生成した後、制御ユニット２４は、このトリガ信号に基づいて連結通路を切替える。
【００４３】
指示ユニット２８は、制御ユニット２４と接続され、連結通路ＣＰに基づいて拡張ユニット１８、スイッチユニット２０及び伝送ユニット１４，１６間で行う動作を指示する。さらに他の実施形態において、指示ユニット２８は、基板１２及び伝送ユニット１４，１６のうちの少なくとも何れか１つの中に配置され、伝送ユニット１４，１６と拡張ユニット１８との接続状態を指示する。
【００４４】
（第４実施形態）
図６を参照する。図６は、本発明の第４実施形態に係る複合機能を有するケーブルを示す斜視図である。図６に示すように、複合機能を有するケーブル１０’’’は、第２実施形態と同様に基板１２、伝送ユニット１４，１６、拡張ユニット１８及びスイッチユニット２０を含む他、複数の結合ユニット３０を含んでもよい。第４実施形態の基板１２、拡張ユニット１８及びスイッチユニット２０は、例えば、筐体３２に形成された収納空間へ配置されてもよい。
【００４５】
結合ユニット３０は、電子機器に接続される電気接続端子１４２，１６２の伝送ユニット１４，１６へ設けられることにより、これら複数の結合ユニット３０を互いに結合させて伝送ユニット１４，１６を固定して環状体に形成し、ユーザは便利に携帯することができる。これら結合ユニット３０は、磁石、係合リング及び嵌挿溝のうちの少なくとも何れか１つでもよい。
【００４６】
上述したことから分かるように、本発明の複合機能を有するケーブルは、複数の電子機器間でデータを双方向で伝送することができる上、複数の電子機器のうちの１つと単独で接続して双方向でデータの伝送を行うこともできる。
【００４７】
さらに、本発明の複合機能を有するケーブルは、例えば、外付け接続ポート、内蔵式メモリ、メモリカードリーダなどの拡張ユニットを組み合わせることにより、ケーブル上でデータを記憶したり取り出したりすることができる。
【００４８】
また、本発明の複合機能を有するケーブルは、伝送ポート間でポーリング方式によりデータを伝送することができる。
【００４９】
またさらに、本発明の複合機能を有するケーブルは、スイッチユニットにより複数の伝送ポート間の連結通路を切替え、ルーターテーブルに基づいて複数の伝送ポート間で連結通路を自動的に切替え、伝送ポート間で行うデータの伝送を決定することができる。
【００５０】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００５１】
２  電子機器
４  電子機器
１０  複合機能を有するケーブル
１０’  複合機能を有するケーブル
１０’’  複合機能を有するケーブル
１０’’’  複合機能を有するケーブル
１２  基板  
１４  伝送ユニット
１６  伝送ユニット
１８  拡張ユニット
２０  スイッチユニット
２２  接続ポート
２４  制御ユニット
２６  トリガユニット
２８  指示ユニット
３０  結合ユニット
３２  筐体
４２  接続ポート
１４２  電気接続端子
１６２  電気接続端子
２０２  伝送ポート
２０２ａ  伝送ポート
２０２ｂ  伝送ポート
２０２ｃ  伝送ポート
ＣＰ  連結通路
ＣＰ１  第１の連結通路
ＣＰ２  第２の連結通路
ＣＰ３  第３の連結通路
ＣＳ  制御信号
ＤＡ  データ
ＴＳ  トリガ信号
【図１】
2014021560.tif 000003
【図２】
2014021560.tif 000004
【図３】
2014021560.tif 000005
【図４】
2014021560.tif 000006
【図５】
2014021560.tif 000007
【図６】
2014021560.tif 000008